(57)【要約】      （修正有）【課題】節電移行ボタンへの誤った接触によるユーザーの作業効率の低下を低減する画像形成装置を提供する。【解決手段】画像形成装置は、操作画面を表示するＬＣＤ４０６と、タッチパネル４０３と、タッチパネルからの座標データを検出する操作制御部（操作部制御部４０１）と、ＬＣＤに出力条件を選択可能に表示する表示制御部（コントローラ１００）と、を備える。操作制御部は、出力条件が変更されたことを検知したら、出力条件以外の変更操作の受付を無効にする。また操作制御部は、出力条件に従ってジョブが終了したと判断したとき、出力条件以外の変更操作の受付を有効にする。【選択図】図２
2020123177.tif 000002
【特許請求の範囲】
【請求項１】
複数の出力条件に従って動作する画像形成装置で、
操作画面を表示するＬＣＤ（４０６）と、
該ＬＣＤの上面に配置されたタッチパネル（４０３）と、
該タッチパネルからの座標データを検出して座標検知する操作制御部（４０１）と、
該ＬＣＤ上に前記出力条件を選択可能な表示を行う表示制御部（１００）を有し、
該出力条件が変更されたか否かを判断し、（図５のＳ５０４）
変更されたことを検知したら、
該操作制御部は該ＬＣＤの所定位置に表示した出力条件以外の変更操作の受付を無効にする（図７のＳ７０２）ことを特徴とする画像形成装置。
【請求項２】
該出力条件以外の変更操作は該画像形成装置の電力状態を変更する操作（４１２）であることを特徴とする請求項１に記載の画像形成装置。
【請求項３】
出力条件に従ってジョブが終了したと判断したとき（図９のＳ９０２）、
該操作制御部は、出力条件以外の変更操作の受付を有効にする（図９のＳ９０５）ことを特徴とする請求項１又は請求項２に記載の画像形成装置。
【請求項４】
全ての出力条件を初期値に戻す操作が行われた時に（図９のＳ９０３）、該操作制御部は、出力条件以外の変更操作の受付を有効にする（図９のＳ９０５）ことを特徴とする請求項１乃至請求項３の何れか一項に記載の画像形成装置。
【請求項５】
出力条件以外の変更操作の受付が無効の時に、ユーザーが変更操作を行おうとしたことを検知した時に表示制御部は、ＬＣＤ上に、特定の表示を行う（図１１の４１０）ことを特徴とする請求項１に記載の画像形成装置。
【請求項６】
表示部は出力条件以外の変更操作の受付を無効にするか否かをユーザーが選択できるような画面（図１２の４５０）を有することを特徴とする請求項１に記載の画像形成装置。
【発明の詳細な説明】
【技術分野】
【０００１】
本発明は、ユーザーからの入力操作を受け付ける操作表示部を有する画像形成装置に関する。
【背景技術】
【０００２】
近年、タッチパネルを用いた操作画面を有する表示部は、パネル上にボタンなどの操作素子を配置し、ユーザーが直感的な操作で画面遷移できる為、様々な分野で普及している。パネルのサイズも様々であり、画面内に前述したボタン等をたくさん配置して様々な操作を可能にしているものも存在する。
【０００３】
画像形成装置では、操作画面の視認性や操作性を向上するため、従来よりも画面サイズは大きいものが使用されてきている一方、表示部ユニットのサイズが大きすぎると、リーダーユニットの開口部分や排紙口などのアクセス性が低下する為、画面以外のハードボタンは画面の中のソフトボタンとして取り込み、ユニットのサイズはできる限り小さくするのが望ましいとされている。
【０００４】
そういった傾向の中、従来はハードボタンとして表示画面外に配置されていた本体を節電モードに移行する為の節電ボタンにおいても、画面内のソフトボタンとして配置される場合が望ましい。一方、近年の省エネルギーの化の流れにより、機内のタイマ駆動によって、何も操作されないと自動で節電モードに落ちる機能があるが、ユーザーが自分の作業が終わったら細目に節電状態に落とすような使い方もある為、節電移行ボタンは常時押下できるような位置に配置することが理想的である。
【０００５】
しかしながら、節電移行ボタンによって一度節電モードに落ちた後に、再度通常モードに復帰させた時に、設定値や画面は初期値および初期画面に戻る。これは、ユーザーが別のユーザーに変わった場合に初期画面に戻った方が混乱せずに使うことができるからであるが、ユーザーが設定途中で節電移行ボタンを誤って操作した場合は、再設定しないといけないというデメリットがある。
【０００６】
これを回避する為に、特許文献１では、節電モードから復帰するときに節電移行前の設定状態を再現し、再設定の時間を短縮するような制御を行っている。また、特許文献２では、節電移行ボタンが押下された時に、本当に節電モードに移行するかを選択させる画面がポップアップ表示され、ユーザーが再度節電モードへの移行を許可する選択をすることで節電モードに入るようにしている。
【先行技術文献】
【特許文献】
【０００７】
【特許文献１】特許第３３３１４９８号公報
【特許文献２】特許第３１４７０４１号公報
【発明の概要】
【発明が解決しようとする課題】
【０００８】
しかしながら、特許文献１のように、通常モードに復帰した時に節電移行前の状態に戻った場合でも、ユーザーは一度画面が落ちたことによって自分が行った設定が変わっていないかどうかという再確認を行う可能性があり、操作時間が増えてしまう。
【０００９】
また、特許文献２のように節電移行ボタンを押下する度にポップアップ画面を出すと、その都度、ユーザーの手間がかかるようになり、ユーザーが押し忘れる等で、節電モードへ入らず省エネ効果が得られないことも考えられる。よって節電移行ボタンは簡単に節電移行できるようにしておく必要もある。
【００１０】
さらに、節電モードへ移行するボタンが操作画面内のソフトキーとして配置されると、ユーザーがコピー設定を行っている最中に誤ってボタンへ触れてしまい、意図せず節電モードに落ちる可能性がある。よって、その都度ユーザーの作業を必要とするシステムは使い勝手が良くない印象をもたれる可能性がある。
【課題を解決するための手段】
【００１１】
上記の課題を解決するために、本発明に係る画像形成装置は、
複数の出力条件に従って動作する画像形成装置で、
操作画面を表示するＬＣＤ（４０６）と、
該ＬＣＤの上面に配置されたタッチパネル（４０３）と、
該タッチパネルからの座標データを検出して座標検知する操作制御部（４０１）と、
該ＬＣＤ上に前記出力条件を選択可能な表示を行う表示制御部（１００）を有し、
該出力条件が変更されたか否かを判断し（図５のＳ５０４）、
変更されたことを検知したら、該操作制御部は該ＬＣＤの所定位置に表示した出力条件以外の変更操作の受付を無効にする（図７のＳ７０２）ことを特徴とする。
【発明の効果】
【００１２】
本発明に係る画像形成装置によれば、操作画面内に配置された節電移行ボタンへの誤った接触により、節電モードに移行してしまうことに起因したユーザーの作業効率の低下を低減することが可能になる。
【図面の簡単な説明】
【００１３】
【図１】本発明に関わるタッチパネル制御を搭載した画像形成装置のブロック図
【図２】本発明に関わる操作部のコントローラとの通信に関わる内部ブロック図
【図３】本発明に関わる操作部の画面表示を含めた外観図
【図４】本発明の第一実施例に関する操作部画面表示を示した図
【図５】本発明の第一実施例に関する１つ目のフローチャート
【図６】本発明の第一実施例に関する２つ目のフローチャート
【図７】本発明の第一実施例に関する３つ目のフローチャート
【図８】本発明の第二実施例に関する１つ目の操作部画面表示を示した図
【図９】本発明の第二実施例に関するフローチャート
【図１０】本発明の第二実施例に関する２つ目の操作部画面表示を示した図
【図１１】本発明の第三実施例に関する操作部画面表示を示した図
【図１２】本発明の第四実施例に関する操作部画面表示を示した図
【発明を実施するための形態】
【００１４】
以下、本発明を実施するための形態について、図面を参照しながら説明する。
【００１５】
（画像形成装置本体の説明）
図１は、本発明に関わるタッチパネル制御を搭載した画像形成装置１０００のブロック図である。
【００１６】
図１に示すように、画像形成装置１０００は、コントローラ１００、スキャナ部２００、プリンタ部３００、操作部４００、制御部用電源５００、負荷用電源５０１、および電源コンセント６００を備えている。
【００１７】
コントローラ１００は、スキャナ部２００、プリンタ部３００、操作部４００、と互いに電気的に接続され、通信可能なように構成されている。また、ネットワーク７００を介して、外部装置２０００とも通信が可能となっている。
【００１８】
スキャナ部２００は、図示しないＣＣＤ等の撮像素子で画像をスキャンし、デジタル画像データ（ＲＧＢ等）に変換してコントローラ１００に転送する。
【００１９】
プリンタ部３００は、図示しない電子写真機構を備え、コントローラ１００から転送されてきたデジタル画像データを転写体に潜像し、トナー転写、定着させ、印刷出力する。
【００２０】
操作部４００は、画像形成装置１０００に対する各種入力を受け付ける構成を持つ。また、画像形成装置１０００の設定や入力選択肢等の表示情報を表示することが可能な構成となっている。その詳細は後述する。
【００２１】
制御用電源５００及び負荷用電源５０１は、電源コンセント６００を介して外部の商用交流電源３０００から電源供給を受け、変圧、整流、平滑、安定化し、各モジュールに分配する。
【００２２】
コントローラ１００は、スキャナ部２００に対するスキャンの設定、プリンタ部３００に対する印刷出力の設定を行う。また、スキャナ部２００でスキャンした画像データの受信、プリンタ部３００への画像データの転送、さらには外部装置２０００とのデータ送受を行う。画像データに対する各種画像処理や、処理した画像データを保存することも可能である。また、操作部４００に対して、各種入力を受け付け、該当する処理を実行すると共に、画像形成装置１０００に関する表示画像データを転送する。さらに、制御用電源５００及び負荷用電源５０１から各モジュールに供給される電源毎のＯＮ／ＯＦＦを行うことが可能であり、使用状態に応じた省電力制御を実現できる。
【００２３】
以下にコントローラ１００の詳細を示す。
【００２４】
コントローラ１００は、コントローラＣＰＵ１０１、コントローラＲＡＭ１０２、コントローラＲＯＭ１０３、電源制御部１０４、操作部Ｉ／Ｆ１０５、及び、外部Ｉ／Ｆ１０６を備えている。そして、これらはシステムバス１０７で相互に接続されている。また、コントローラ１００は、ＨＤＤ１０８、画像処理部１０９、スキャナＩ／Ｆ１１０、及び、プリンタＩ／Ｆ１１１を備えており、互いに画像データバス１１２で接続されている。システムバス１０７と、画像データバス１１２は、バスブリッジ１１３で接続されており、各々に接続されている機能ブロックは、互いに通信可能な構成となっている。
【００２５】
コントローラＣＰＵ１０１は、主に、コントローラＲＯＭ１０３や、ＨＤＤ１０８に記憶されたプログラムに基づき、各機能ブロックに対する初期化、及び、入出力処理を実行する。
【００２６】
コントローラＲＡＭ１０２は、コントローラＣＰＵ１０１が動作するためのプログラムの展開や、情報処理、画像処理のワーク領域として活用される。
【００２７】
コントローラＲＯＭ１０３には、コントローラＣＰＵ１０１がブートするためのブートプログラムや画像制御等の制御パラメータのバックアップデータが格納されている。コントローラＣＰＵ１０１は、画像形成装置１０００の電源起動時には、該ブートプログラムをコントローラＲＯＭ１０３から読みだしてＲＡＭ１０２に展開し、プログラムに従って各機能ブロックの初期化を行う。
【００２８】
電源制御部１０４は、制御用電源５００及び負荷用電源５０１から各モジュールに供給される電源毎のＯＮ／ＯＦＦ制御を行う。
【００２９】
操作部Ｉ／Ｆ１０５は、システムバス１０７と操作部４００との間で、入力情報や表示情報に関するコマンド、ステータスの受け渡しを行うインターフェース部である。また、ＨＤＤ１０８に格納された表示画像データを送信して表示画面へ表示することもできる。
【００３０】
外部Ｉ／Ｆ１０６は、システムバス１０７と、ネットワーク７００に接続される外部装置２０００との間で、画像データや各種情報の受け渡しを行う。
【００３１】
ＨＤＤ１０８は、コントローラＣＰＵ１０１で動作させるＯＳや制御プログラム、アプリケーションプログラム、また、画像データ等を保存するストレージである。画像処理を行う際の一時的なワーク領域としても活用される。
【００３２】
画像処理部１０９は、コントローラＲＡＭ１０２やＨＤＤ１０８をワーク領域として活用し、拡大、縮小、回転、解像度変換、ＪＰＥＧ等の圧縮、伸張、色変換、色調整等の各種画像処理を行う。大容量の画像データを迅速に扱う必要があるため、通信部分を除く機構はハードウェアロジックにより構成されている。
【００３３】
スキャナＩ／Ｆ１１０は、スキャナ部２００と画像データバス１１２との間で、スキャンしたデジタル画像データの受け渡しや、スキャナ部との通信を行う。
【００３４】
プリンタＩ／Ｆ１１１は、プリンタ部３００と画像データバス１１２との間で、印刷するための画像データの受け渡しや、プリンタ部との通信を行う。
【００３５】
システムバス１０７、画像データバス１１２は、画像データの他に、操作部４００とのコマンド、ステータス等、通信に必要な情報をやり取りするための伝送路である。システムバス１０７と画像データバス１１２は、互いにバスブリッジ１１３で接続され、データの受け渡しが可能なように構成されている。
【００３６】
（操作部  ブロック図）
図２に、本実施例に主に関係する操作部４００のコントローラ１００と通信に関わる内部ブロック図および本体負荷制御部の詳細ブロック図を示す。
【００３７】
操作部制御部４０１はマイコン等の操作部４００に関わるプログラムを有したＩＣを含む制御部である。操作部制御部４０１はユーザーやサービスマンが操作するハードＳＷ４０７の入力を検知することや、ユーザーやサービスマンがタッチパネル４０３に接触したことを検知する為のタッチパネル制御部４０２から、割り込み信号や座標データを受信する。また、操作部制御部４０１はタッチパネル制御部４０２から受け取った座標データや、ハードＳＷ４０７の検知信号を内部処理し、コントローラ１００と通信を行ってそれらの情報を送信すると共に、コントローラ１００から信号を受信し、図示しないＬＥＤの点灯制御やスピーカーによる報知音の制御などを行う。
【００３８】
コントローラ１００は制御部用電源５００から電源供給を受け、操作部制御部４０１へ電源を供給している。また、操作部４００内のＬＣＤ４０６に対して、画像データを出力する。画像データは操作部４００内のＬＣＤ画像制御回路４０４によって使用しているＬＣＤ４０６に準じたＩＦ信号へ変換して画像信号をＬＣＤ４０６に送る。また、ＬＣＤ電源制御回路４０５は負荷用電源５０１から電源供給を受けており、コントローラ１００はＬＣＤ電源制御回路４０５へＯＮ・ＯＦＦ信号を出力することで、ＬＣＤ４０６への電源供給を制御することができる。
【００３９】
また、コントローラ１００はプリンタ部３００と通信を行っている。プリンタ部３００はモータやセンサなどの本体負荷３０３の制御を図示しないマイコン等によって行っており、本体制御回路３０２に対して制御信号を出力することで、本体負荷３０３に駆動信号を与えることができる。また、本体負荷電源制御回路３０１は負荷用電源５０１から電源供給を受けており、プリンタ部３００は本体負荷電源制御回路３０１へＯＮ・ＯＦＦ信号を出力することで、本体負荷３０３への電源供給を制御することができる。
【００４０】
本実施例の画像形成装置の通電モードは通常モードおよび節電モードを持つ。通常モードではコントローラ１００およびプリンタ部３００はＬＣＤ電源制御回路４０５や本体負荷電源制御回路３０１を制御し、負荷用電源５０１から電源が供給される電源をＬＣＤ４０６および本体負荷３０３に供給する。一方、節電モードでは、コントローラ１００およびプリンタ部３００はＬＣＤ電源制御回路４０５や本体負荷電源制御回路３０１を制御し、負荷用電源５０１から電源が供給される電源をＬＣＤ４０６および本体負荷３０３に供給しないようにする。節電モードではＬＣＤ４０６の電源が遮断される為、操作部４００の画面は真っ暗となる。しかしながら節電モード時は操作部４００に対し、制御用電源は供給されているため、タッチパネル４０３やハードＳＷ４０７をユーザーが操作したか否かを操作部制御部４０１は検知可能であり、節電モード中に検知結果をコントローラ１００に送信することで、コントローラ１００およびプリンタ部３００は再びＬＣＤ４０６や本体負荷３０３に電源を供給し通常モードに戻すことが可能である。
【００４１】
（操作部  詳細説明）
図３は本実施例における操作部４００の部品構成や画面配置に関して示した図である。
【００４２】
操作部４００はＬＣＤ４０６による画面表示とタッチパネル４０３を重ねて配置された表示部４１０を有している。表示部４１０の中には複数のアイコンが表示されている。図３における画面の例は、コピー設定画面である。
【００４３】
画面領域部４１０には、トップメニューに戻す為の「メニュー」ボタン４１１、本体の動作モードを節電モードへ移行する為の「節電」ボタン４１２、コピー仕上げ設定の為、コピーする用紙サイズを指定する「用紙サイズ」ボタン４１５、倍率を指定する「倍率」ボタン４１６、コピー部数を指定する「部数」ボタン４１７、ソートやステイプルなどの後処理設定を行う「仕上げ」ボタン４１８、両面コピーか片面コピーを設定する「両面」ボタン４１９、出力用紙の濃度を設定する「濃度」ボタン４２０があり、それらの設定をデフォルト値に戻す為の「設定クリア」ボタン４１４もある。また、本体状態を表示するようなメッセージボックス４１３があり、図３では本体のエラーも無くプリント動作可能であることを示す「コピーできます」を表示している。
【００４４】
ユーザーがこれらのボタンを押下するようにタッチパネル４０３に接触した時に、コントローラ１００はその座標データからどのボタンが押されたのかを判断し、押されたボタンに従った動作制御を行うようにしている。
【００４５】
さらに操作部４００には、ハードキーとして、表示部４１０以外にもプリント動作を開始する時にユーザーが操作する「ＳＴＡＲＴ」キー４２１や、一度「ＳＴＡＲＴ」キー４２１を押すなどして、コピー動作が開始された後に中止したい場合にユーザーが操作する「ＳＴＯＰ」キー４２２が配置される。また、ユーザーに本体状況を知らせる報知窓４３１〜４３３が操作部４００の下方向に配置されており、操作部４００内部に放置窓４３１〜４３３に対向しているＬＥＤが配置され点滅や点灯制御されている。
【００４６】
図３に示すボタン配置やハードキーの配置や報知窓の配置は一例であり、必ずしも本図の通りでなくてもよい。
【００４７】
ユーザーがプリント動作を開始しようとした時には、操作部４００の画面は図３のような初期状態であり、それぞれのアイコンは初期値を示している。
【００４８】
［第一の実施例］
図４は、ユーザーが「用紙サイズ」ボタン４１５から、設定をＡ４からＡ３に変更した状態を示す。
【００４９】
用紙サイズ設定を変更しているのが判別できるように「用紙サイズ」ボタン４１５の色を変更している。本実施例では「用紙サイズ」ボタン４１５を変更した場合を例に説明するが、コピー設定に関わるボタンである他の「倍率」「部数」「仕上げ」「両面」「濃度」について変更されても同様に初期状態から色を変更する。この時、「節電」ボタン４１２は、前述したコピー設定に関わるボタンによって、初期状態から変更があった場合には、初期状態から色を変える。これと同時に、「節電」ボタン４１２を無効化し、ユーザーがタッチパネル４０３上の「節電」ボタン４１２位置を押しても、コントローラ１００は、「節電」ボタン４１２を押した際に本来ならば制御する節電モードへの移行を行わないようにする。
【００５０】
上記の制御に関して、コントローラ１００の動作を図５〜図７のフローチャートに示す。
【００５１】
図５のフローチャートを説明する。
【００５２】
本体の起動後に操作部４００の画面領域部４１０には図３のような初期画面が表示されている（Ｓ５０１）。初期画面では設定変更フラグは０とする（Ｓ５０２）。この設定変更フラグとは、ある設定状態から変化したか否かを示す値であり、コントローラ１００内のＲＡＭ１０２に保管される値である。そして、ユーザーがボタンを押すのを待つ（Ｓ５０３）。ボタンが押され、コピーに関わる設定が変更されたか否かを判定する（Ｓ５０４）。コピーに関わる設定が変更されたと判断したら、押されたボタンの色を変更し（Ｓ５０５）、設定変更フラグを１に設定し（Ｓ５０６）、一連の動作は終了となる（Ｓ５０７）。ここで、本実施例ではＳ５０５でボタンの色を変えるようにしたが、色では無くても、ボタンの形状を変えることや、ボタン内部に書かれた文言を変えるなど初期状態から変化があればよい。
【００５３】
続いて、図６のフローチャート用いて、「節電」ボタン４１２に関するコントローラ１００の制御を説明する。
【００５４】
起動後（Ｓ６０１）、初期値として「節電」ボタン４１２の有効・無効を示す節電ボタンマスクの値を０と設定する（Ｓ６０２）。図５のフローチャートにて制御された設定変更フラグが１になっているか否かを確認する（Ｓ６０３）。設定変更フラグが１になっていたら節電ボタンの色を変更し（Ｓ６０４）、節電ボタンマスクの値を１に設定し（Ｓ６０５）終了する（Ｓ６０６）。ここで、本実施例ではＳ６０５でボタンの色を変えるようにしたが、色では無くても、ボタンの形状を変えることや、ボタン内部に書かれた文言を変えるなど初期状態から変化があればよい。Ｓ６０３において設定変更フラグが０で有る場合は、「節電」ボタン４１２の色は初期の色とする。
【００５５】
さらに、「節電」ボタン４１２を押された時のコントローラ１００の制御を図７のフローチャートにて説明する。操作部制御部４０１がタッチパネル４０３の押下と座標をコントローラ１００に送信し、コントローラ１００は検出された座標を元に「節電」ボタン４１２が押されたか否かを判定し、「節電」ボタン４１２が押されたと判断したら（Ｓ７０１）、図６のフローチャートにて設定した節電ボタンマスクが１になっているか否かを判定する（Ｓ７０２）。節電ボタンマスクが１であった場合にはコントローラ１００は何も反応しない（Ｓ７０３）。一方、節電ボタンマスクが０であった場合は、節電モードへ移行するように制御する（Ｓ７０４）。
【００５６】
［第二の実施例］
第一の実施例では、コピーに関わる設定が変更された場合に、「節電」ボタン４１２を押しても無効とする制御を行う。しかしながらユーザーが設定した通りにプリント動作が完了した後に、ユーザーは「節電」ボタン４１２を押して、本体を節電モードに移行したい場合がある。この操作を不自由なく行う為に以下の動作を行う。
【００５７】
図８は本発明の１例であり、ユーザーが「用紙サイズ」ボタン４１５の設定を変更し、「ＳＴＡＲＴ」キー４２１を押してジョブが終了した後の操作部４００の表示部４１０の表示を示す。
【００５８】
コントローラ１００はジョブが完了した後に、「節電」ボタン４１２の色を初期に戻し、「節電」ボタン４１２を有効にする。すなわち、「節電」ボタンを押下した時に節電モードへ移行可能とする。ここで、「用紙サイズ」ボタン４１５に関しては、ユーザーが続けてコピーを行う可能性も有るため、設定を変更したままとし、本実施例ではボタンの色も変更したままとする。
【００５９】
この時のコントローラ１００の制御を、図９のフローチャート元に説明する。設定変更フラグが１に設定した（Ｓ９０１）後に、ジョブが終了したか否かを監視する（Ｓ９０２）。ジョブが終了していれば設定変更フラグを０に設定し（Ｓ９０５）、終了する（Ｓ９０６）。設定変更フラグが０になれば、図６のフローチャートに従って、「節電」ボタン４１２を有効化する。また、ジョブが終了していなくても、「設定クリア」ボタン４１４が押されたか否かを監視し（Ｓ９０３）、押されていればユーザーが設定した全てのコピーに関わる設定を初期値に戻し、ボタンの色を初期の色に戻す（Ｓ９０４）。設定変更フラグも０に設定し（Ｓ９０５）、終了する（Ｓ９０６）。
【００６０】
ジョブが終わった後に、ユーザーは続けてコピーを行う時、さらにコピーに関わる設定を変更する場合がある。本実施例では図１０のように「部数」ボタン４１７によって部数を１から１０に変更した場合を説明するが、他のコピーに関わる設定を変更した場合も同様の制御となる。部数を１０に変更すると、コントローラ１００は図５のフローチャートに則り、設定変更フラグは再び１と設定されるように制御する。設定変更フラグが１になると図６のフローチャートに従って、再び「節電」ボタン４１３の色を変え、無効化するように制御する。
【００６１】
［第三の実施例］
第一の実施例および第二の実施例において、設定変更フラグが１になった時に「節電」ボタン４１３を無効化したが、節電モードへすぐ移行するのではなく、図１１のように節電モードに移行するか否かをユーザーに選択させる選択画面４４０を表示する。ユーザーは選択画面４４０中の「はい」と「いいえ」ボタンの内、節電モードに移行してよければ「はい」ボタンを押下し、節電モードへ移行しない場合は「いいえ」を選択する。「はい」が選択されれば本体は節電モードへ移行し、「いいえ」が選択されれば選択画面４４０を消し、選択画面４４０が出る前の状態へ戻る。ただし、本実施例の図１１ではポップアップ表示をしているが、画面全体を選択画面に切り替えてもよい。
【００６２】
［第四の実施例］
設定変更フラグが１の時に「節電」ボタン４１２を無効化するか否かをユーザーの設定にてオン・オフの切り替えが可能である。図１２に節電ボタンマスクのオン・オフ設定画面４５０を示す。ユーザーは節電ボタンマスクのオン・オフ設定画面４５０において、実施例１〜３に示したような「節電」ボタン４１３を無効化するか否かの設定が可能である。無効化しない場合は、コピーに関わる設定を変更しても「節電」ボタン４１２が有効のままになるため、いつでも「節電」ボタン４１２を押すと節電モードへの移行を行うことができるようになる。
【符号の説明】
【００６３】
１００  表示制御部、４０１  操作制御部、４０３  タッチパネル、４０６  ＬＣＤ
【図１】
2020123177.tif 000003
【図２】
2020123177.tif 000004
【図３】
2020123177.tif 000005
【図４】
2020123177.tif 000006
【図５】
2020123177.tif 000007
【図６】
2020123177.tif 000008
【図７】
2020123177.tif 000009
【図８】
2020123177.tif 000010
【図９】
2020123177.tif 000011
【図１０】
2020123177.tif 000012
【図１１】
2020123177.tif 000013
【図１２】
2020123177.tif 000014